(57)【要約】【課題】カバーで覆われたラッププリテンショナーの位置決め爪を、より簡単かつ確実に車体側に係合できるようにして、その取付け作業をより容易にすることができるシートベルト装置のラッププリテンショナー取付け構造の提供を図る。【解決手段】ラッププリテンショナー１０の車室内側をカバー１３で覆った状態で、ラッププリテンショナー１０から突設した位置決め爪１１を車体２側に形成した位置決め孔１２に係合するにあたって、カバー１３の周縁部に係合部１５を突設するとともに、この車体側に開口部１６を形成し、この開口部１６に係合部１５を係合してカバーを位置決めしたことにより、作業者にとって見易い位置にある係合部１５を容易に車体２側の開口部１６に係合して位置決めした後に、位置決め爪１１と位置決め孔１２との位置合わせを簡単にできる。【選択図】      図１
2004359028.tif 000002
【特許請求の範囲】
【請求項１】
乗員を拘束するウェビングに接続して緊急時にこのウェビングに緊張力を付加するラッププリテンショナーを備え、このラッププリテンショナーの車室内側をカバーで覆った状態で、ラッププリテンショナーから突設した位置決め爪を、車体側に形成した位置決め孔に係合してラッププリテンショナーを車体へ取り付けたシートベルト装置のラッププリテンショナー取付け構造において、
前記カバーの周縁部に係合部を突設するとともに、車体側に開口部を形成し、この開口部に前記係合部を係合してカバーを位置決めしたことを特徴とするシートベルト装置のラッププリテンショナー取付け構造。
【請求項２】
前記開口部はサイドシルに形成され、係合部は、カバーの内側とサイドシルの内部空間とを連通する通路として構成したことを特徴とする請求項１に記載のシートベルト装置のラッププリテンショナー取付け構造。
【発明の詳細な説明】
【０００１】
【発明の属する技術分野】
本発明は、リトラクタから繰り出されるウェビングに、緊急時に緊張力を付加するラッププリテンショナーを設けたシートベルト装置のラッププリテンショナー取付け構造に関する。
【０００２】
【従来の技術】
シートベルト装置は、乗員を拘束するウェビングを巻取り・巻戻しするリトラクタを備え、前席用のシートベルト装置ではリトラクタをセンターピラーの下部に取付けるとともに、リトラクタから繰り出したウェビングをセンターピラー上端部に設けたベルトガイドに通した後、ウェビングの先端部をリトラクタの取付け部分近傍に固定し、この固定部分とベルトガイドとの間のウェビングに通したタングをシートの車体中央側に設けたバックルに装着することにより、乗員を拘束するようになっている。
【０００３】
このようなシートベルト装置ではラッププリテンショナーを設けて、衝突時にウェビングのたるみをとって乗員を迅速かつ確実に拘束するようにしたものがあり、このラッププリテンショナーはウェビングに張力を付加できる部位、例えば、リトラクタから繰出したウェビングの先端部に設けるようになっている（例えば、特許文献１参照。）。
【０００４】
ところで、このようなラッププリテンショナーは、リトラクタ近傍で車体側、例えばサイドシルのインナーパネルに取付けるようになっており、このラッププリテンショナーをカバー内に収納した状態で、ラッププリテンショナーから突設した位置決め爪をインナーパネルの係合孔に係合させた後、カバーを車室内からボルト止めするようにしたものがある。
【０００５】
【特許文献１】
特開２００２−３０８０４５号公報（第３頁、第１図）
【０００６】
【発明が解決しようとする課題】
しかしながら、前記ラッププリテンショナーの取付け構造では、その取付け位置が車室内の下部にあって、しかも、カバーで覆われた状態で位置決め爪をサイドシルに係合させた後にボルト止めするため、位置決め爪がカバーで隠されて直接見ることができない状態でサイドシルに係合する必要がある。
【０００７】
このため、ラッププリテンショナーの位置決め爪は、作業者の勘に頼ってインナーパネルの係合孔に係合させる必要があるため、作業性が悪化していた。
【０００８】
そこで、本発明は、カバーで覆われたラッププリテンショナーの位置決め爪を、より簡単かつ確実に車体側に係合できるようにして、その取付け作業をより容易にすることができるシートベルト装置のラッププリテンショナー取付け構造を提供するものである。
【０００９】
【課題を解決するための手段】
本発明のシートベルト装置のラッププリテンショナー取付け構造にあっては、ラッププリテンショナーの車室内側をカバーで覆った状態で、ラッププリテンショナーから突設した位置決め爪を車体側に形成した位置決め孔に係合するにあたって、カバーの周縁部に係合部を突設するとともに、この車体側に開口部を形成し、この開口部に前記係合部を係合してカバーを位置決めしたことを特徴としている。
【００１０】
【発明の効果】
本発明によれば、カバーに形成した係合部は、このカバーの周縁部に突出するため作業者にとって見易い位置にあり、作業者はその係合部を容易に車体側の開口部に係合することができる。すると、カバーで覆われたラッププリテンショナーは、カバーの係合部が位置決めされた状態にあるため、位置決め爪と車体側の位置決め孔との位置合わせが容易になり、ひいては、ラッププリテンショナーの車体への取付け作業を簡単かつ迅速に行うことができる。
【００１１】
【発明の実施の形態】
以下、本発明の実施形態を図面と共に詳述する。
【００１２】
図１〜図４は本発明にかかるシートベルト装置のラッププリテンショナー取付け構造の一実施形態を示し、図１はラッププリテンショナー取付け部分の分解斜視図、図２はラッププリテンショナーの位置決め爪部分を示す斜視図、図３はカバーの係合部の係合状態を示す斜視図、図４はカバーの係合部の係合状態を示す断面図である。
【００１３】
本実施形態のシートベルト装置は、図１に示すように、図外の乗員を拘束するウェビング１を備え、このウェビング１の一端部は、衝突等の緊急時にウェビング１に緊張力を付加するラッププリテンショナー１０を介して車体側、本実施形態ではサイドシル２のインナープレート２ａに取り付けられるとともに、ウェビング１の他端部は、センターピラー３の下端部に取り付けた図外のリトラクタに巻き取られるようになっている。
【００１４】
ラッププリテンショナー１０は、図２に示すようにウェビング１の接続側端部の車幅方向外側に１対の位置決め爪１１を設けてあり、この位置決め爪１１を前記サイドシル２に形成した位置決め孔１２に差し込んで係合し、ラッププリテンショナー１０を回り止めするようになっている。
【００１５】
ラッププリテンショナー１０は、図１に示すように車室内側を全体的にカバー１３で覆ってあり、このカバー１３をラッププリテンショナー１０に取付けた状態で前記位置決め爪１１を位置決め孔１２に係合するようになっており、そのカバー１３の車室内側を更にフロアカーペット１４で覆うようになっている。
【００１６】
ここで本実施形態では図３に示すように、前記カバー１３の前記ウェビング１の接続側とは反対側端部に係合部１５を突設するとともに、サイドシル２のインナープレート２ａに開口部１６を形成し、この開口部１６に前記係合部１５を係合することによりカバー１３を位置決めしてある。
【００１７】
そして、カバー１３およびラッププリテンショナー１０は、ウェビング１の接続側端部に形成した取付穴１７，１７ａに挿通した図外の取付ボルトを介して、サイドシル２のインナープレート２ａに共締めするようになっており、このとき、カバー１３は気密性をもってインナープレート２ａに取り付けられる。
【００１８】
また、前記係合部１５は、カバー１３の内側とサイドシル２の内部空間とを連通する通路１５ａとして構成してある。
【００１９】
即ち、前記通路１５ａはカバー１３から連続して車室内方を覆うように断面コ字状に形成してあり、前記開口部１６は係合部１５の外側形状に略沿った矩形状に形成してある。
【００２０】
なお、図１中１８はサイドシル２のインナープレート２ａに沿って配索したハーネスを示す。
【００２１】
以上の構成により本実施形態のシートベルト装置のラッププリテンショナー取付け構造にあっては、ラッププリテンショナー１０にカバー１３を取付けた状態で車体側に取り付けることになるが、まず、カバー１３から突設した係合部１５をサイドシル２のインナープレート２ａに形成した開口部１６に挿入して係合する。
【００２２】
このとき、カバー１３に形成した係合部１５は、このカバー１３の周縁部に突出するため作業者にとって見易い位置にあり、作業者はその係合部１５を容易にサイドシル２の開口部１６に係合することができる。
【００２３】
従って、カバー１３で覆われたラッププリテンショナー１０は、このカバー１３が係合部１５を介して位置決めされた状態にあるため、位置決め爪１１とサイドシル２の位置決め孔１２との相対位置が決定され、これら位置決め爪１１と位置決め孔１２との位置合わせが容易になり、ひいては、ラッププリテンショナー１０の車体への取付け作業を簡単かつ迅速に行うことができる。
【００２４】
また、本実施形態にあっては、係合部１５をカバー１３の内側とサイドシル２の内部空間とを連通する通路として構成したので、衝突によりラッププリテンショナー１０が作動してガスが発生した際に、このラッププリテンショナー１０から漏洩したガスＧは、図４に示すように、カバー１３から係合部１５の通路１５ａを経てサイドシル２の内部空間に逃がすことができ、ガス排出性を向上することができる。
【００２５】
ところで、本実施形態では係合部１５をカバー１３のウェビング１接続側とは反対側端部に形成した場合を開示したが、これに限ることなく作業者が視認し易いカバー１３の周縁部、例えば、図５に示すようにカバー１３のウェビング１接続側端部に係合部１５を形成することもできる。
【００２６】
また、本発明のシートベルト装置のラッププリテンショナー取付け構造は前記実施形態に例をとって説明したが、この実施形態に限ることなく本発明の要旨を逸脱しない範囲で他の実施形態を各種採ることができる。
【図面の簡単な説明】
【図１】本発明の一実施形態におけるラッププリテンショナー取付け部分の分解斜視図。
【図２】本発明の一実施形態におけるラッププリテンショナーの位置決め爪部分を示す斜視図。
【図３】本発明の一実施形態におけるカバーの係合部の係合状態を示す斜視図。
【図４】本発明の一実施形態におけるカバーの係合部の係合状態を示す断面図。
【図５】本発明の他の実施形態におけるカバーの係合部の係合状態を示す斜視図。
【符号の説明】
１  ウェビング
２  サイドシル（車体）
１０  ラッププリテンショナー
１１  位置決め爪
１２  位置決め孔
１３  カバー
１５  係合部
１５ａ  通路
１６  開口部
【図１】
2004359028.tif 000003
【図２】
2004359028.tif 000004
【図３】
2004359028.tif 000005
【図４】
2004359028.tif 000006
【図５】
2004359028.tif 000007